Podtech/llm-jp-corpus-v4-ja_patent huggingface dataset:
(57)【要約】【課題】コマセカゴが指示棚まで行く間はコマセを出さず、指示棚へ着くと出し始める。【解決手段】コマセカゴに誘導する外筒を設け、コマセカゴを投入すると指示棚へ到着するまでは、水圧を受ける外筒は上に押し上げられ、コマセ放出口をふさぎ、指示棚まで到着すると外筒は重力で下がり、コマセ放出口が開き、コマセが出るようにした。【選択図】図１
2006187294.tif 000002
【特許請求の範囲】
【請求項１】
コマセカゴのコマセ放出口を、水の力を利用して開閉できる外筒を設けてあることを特徴とする
【請求項２】
上記外筒には例えば水の抵抗を受けやすいように突起物を設けてあることが特徴である。
【請求項３】
上記外筒はコマセカゴ下部のおもりから、コマセカゴ上部のコマセ投入口のキャップ間を上下に内筒の外側をスライドすることが特徴である。
【発明の詳細な説明】
【技術分野】
【０００１】本発明は魚を寄せるための、撒餌を収容する、コマセカゴを有する釣具の改良に関するものである。
【背景技術】
【０００２】一般に撤餌を収容したコマセカゴを天秤に取り付けるようにした釣具は知られている【０００３】しかしながら上記の如き従来技術ではコマセカゴが指示棚まで行く間に、コマセが出てしまい狙っている魚以外の魚が掛かってしまうし、コマセのロスが多い
【発明の開示】
【発明が解決しようとする課題】
【０００４】そこで本発明が解決しようとする課題はコマセカゴが指示棚まで行く間はコマセを出さず、指示棚へつくと出し始める。
【課題を解決するための手段】
【０００５】かかる目的を達成する為本発明のひとつの特徴の釣具はコマセカゴに誘導する外筒を設け、コマセカゴを投入すると指示棚まで到達するまでは水圧を受ける外筒は上に押し上げられ、コマセ放出口をふさぎ、指示棚まで到達すると、外筒は重力で下がりコマセ放出口が開きコマセが出るようにした。その為決めた指示棚で、狙った魚を釣る事ができる。【０００６】以下本発明の実施形態を図面に示した、実施例にもとづき、詳細に説明する、図１には本発明にかかわる釣具の一実施例が示されており、この実施例における釣具は、コマセカゴとコマセカゴ上部に開けてあるコマセ放出口４と、その４を自在に開閉できる外筒８と水の抵抗を受けやすいように例えば突起のような７を設ける【０００７】図１に示すように、コマセカゴ３は、例えばプラスチックから作られた略中空の円筒体からなり内部に魚を引き寄せるための撒き餌が収容されている、コマセカゴ３の上にはコマセ放出口が設けられ、海中に投入されたコマセカゴ３は、水の力により外筒８は上に押し上げられ、放出口４はふさぎ、指示棚まで到達すると外筒８は重力でさがり放出口が開きコマセが出る。
【図面の簡単な説明】
【０００８】
【図１】本発明に係わる釣具の一実施例を示す立面図である
【図２】図１に示された釣具の一部の斜視図である
【符号の説明】
【０００９】１  道糸
２  ガイド糸
３  コマセカゴ
４  コマセ放出口
５  おもり
６  ストッパ
７  突起
８  外筒
【図１】
2006187294.tif 000003
【図２】
2006187294.tif 000004
(57)【要約】【課題】原因不明精神病予防装置の原理の証明と輪廻転生エネルギーのサイボーグへの移行と各時代未来過去死後世界の情報収集を試みる。【解決手段】人体に輪廻転生する前の意識エネルギー（重力子かアストラル体）をヘミシンク技術の体脱で誰のものか分析しサイボーグに誘導し人間同様にしそのことが原因不明の精神病を予防する可能性もあり副作用の体重増加も減少するしさらに各時代未来過去死後世界の情報をそれから交信分析し得られる。【特許請求の範囲】
【請求項１】
（イ）ヘミシンク技術で体外離脱してヘミシンク技術のレベルのフォーカス２７（死後世界）で輪廻転生の準備をしている意識エネルギーを確認し印を付ける。
（ロ）それが各時代の未来過去どこに行くかワームホールと各時代時空地図で出入口を確認しそれに印を付ける。
（ハ）重力波の周波数やヘミシンク技術の体脱でその意識エネルギーをサイボーグに誘導しそこから移し固定しサイボーグとして人間同様その意識エネルギーで動けるようにし各時代の各人間に転生する前に行い人間への原因不明精神病の根本をなくす。
（ニ）もしそれがサイボーグに入った場合原因不明の精神病治療につながる可能性もあるしエネルギーは質量と同じものなので精神病患者の副作用である体重増加も減って肥満解消もありえる。また死後世界の情報をサイボーグに転生した意識エネルギーであるアストラル体（第３の体）と交信分析し生きていた頃の時代の情報も得られ不老不死をサイボーグとして実現できる。
以上の如く論理で導かれるヘミシンク技術で体外離脱して誘導する輪廻転生各時代ワームホール意識サイボーグ移行装置。
【発明の詳細な説明】
【技術分野】
【０００１】  本発明は、精神病予防や死後世界未来過去情報と輪廻転生エネルギー移行に関する。
【背景技術】
【０００２】  従来、原因不明精神病は薬物療法でも完治せず民間療法で治ることの科学的証明はなく輪廻転生のエネルギーとは無関係と思われ各時代情報死後世界情報は得られなかった。
【発明の開示】
【発明が解決しようとする課題】
【０００３】  原因不明精神病予防と同時に各時代死後世界情報収集を科学的証明と輪廻転生の意識エネルギーとの因果関係で解決することを試みる。
【課題を解決するための手段】
【０００４】  各自人体に輪廻転生する前に意識エネルギー（重力子かアストラル体）をサイボーグに移しさらにそれからヘミシンク技術等で各時代死後世界情報を収集する。
【発明の効果】
【０００５】  原因不明精神病を予防し各時代死後世界情報が得られサイボーグで不老不死を実現する
【発明を実施するための最良の形態】
【０００６】    以下、本発明の実施例について時系列的論理的に文章で説明する。ヘミシンク技術で体外離脱してヘミシンク技術のレベルのフォーカス２７（死後世界）で輪廻転生の準備をしている意識エネルギーを確認し印を付ける。それが各時代の未来過去どこに行くかワームホールと各時代時空地図で出入口を確認しそれに印を付ける。重力波の周波数やヘミシンク技術の体脱でその意識エネルギーをサイボーグに誘導しそこから移し固定しサイボーグとして人間同様その意識エネルギーで動けるようにし各時代の各人間に転生する前に行い人間への原因不明精神病の根本をなくす。もしそれがサイボーグに入った場合原因不明の精神病治療につながる可能性もあるしエネルギーは質量と同じものなので精神病患者の副作用である体重増加も減って肥満解消もありえる。また死後世界の情報をサイボーグに転生した意識エネルギーであるアストラル体（第３の体）と交信分析し生きていた頃の時代の情報も得られ不老不死をサイボーグとして実現できる。以上の如く論理で導かれるヘミシンク技術で体外離脱して誘導する精神病予防輪廻転生各時代時空地図ワームホール意識サイボーグ移行装置。
【実施例】
【０００７】    上記の如く実施される。
【産業上の利用可能性】
【０００８】    原因不明の精神病を予防し各時代未来過去と死後世界の情報を収集でき不老不死をサイボーグとして実現をひとつの解決しようとする手段ででき産業上の利用可能性は高いと解される。
(57)【要約】      （修正有）【課題】昇圧トランスに疑似正弦波を発生する際トランスにはヒステリシス損・うず電流損・漏れ磁束による損失をなくし、電力伝達の効率をあげる為のトランスの組合せを提供する。【解決手段】組合せ分割した昇圧トランスに疑似正弦波を発生する為に多重波を２並列波形を利用しトランスＴ１・Ｔ２トランスＴ３・Ｔ４の結合を電磁的に構成し電圧の合計を出力している。【選択図】図２
2006187184.tif 000002
【特許請求の範囲】
【請求項１】
昇圧トランスを並列に組合せ制御用トランスには多重波を入力する為中間タップを設け第１トランスと第２トランスで２波の多重波入力で昇圧トランスにて出力させる
【請求項２】
項１において昇圧トランスの組合せをデジタル位相制御で一致比較ＩＣによってパルスの数値の多少の結果出力で２波の多重波制御トランスへに分割出来位相の進み遅れの測定において有効無効電力の判別に利用
【発明の詳細な説明】
【技術分野】
【０００１】疑似正弦波を利用した昇圧トランスで２台のトランスで昇圧し多重波を２波並列入力としてトランスによる損失と電力伝達の効率を上げる
【背景技術】
【０００２】１対１の昇圧トランスでなく２対２での昇圧トランスで電力伝達を行なう
【非特許文献】ＣＱ出版社  戸川治朗  著  １９８８年５月２０日初版発行  Ｐ１９２〜１９７
【発明の開示】
【発明が解決しようとする課題】
【０００３】１対１のトランスでの昇圧時と２対２のトランスでわ２つの多重波が発生し２波形はコンデンサにより充放電され平骨する課題
２対２での昇圧トランス時の２波形の位相差の検出はフィートバック制御し過電流時などの塁積呉差を補正し電力伝達効率上げる課題
【課題を解決するための手段】
【０００４】項１は第１多重波トランスと第２多重波トランスと分けＴ１とＴ２とする昇圧トランス用はＴ３Ｔ４としＴ３Ｔ４は電磁的結合によるジュール発熱を押さえ電圧電流の負荷を削減出来Ｔ３Ｔ４とコンデンサにより合成重畳され任意の１４１ＶをＴ３Ｔ４の２台で分割している【０００５】項２のシステム入力は項１も同様でリングカウンタ・ＰＷＭ・Ｄ・Ａ変換としてデジタルＩＣにより位相制御フィートバックにより位相補正で補う
【発明の効果】
【０００６】２台の巻線比の違う中間タップを設けたトランスは多重波を発生出来るので疑似正弦波を粗状から密状に変化出来るので精度を増加出来る
タップ入力を復数に制御する為は多重波の組合わせにより比較的高アンペアの出力に的している
【発明を実施するための最良の形態】
【０００７】図１の多重波の発生は巻線比を変えたＴ１・Ｔ２トランスに２段・３段の中間タップを設けＴ１・Ｔ２共に多重波のパルスタイム１クロック反転させ多重矩形波を階段状にＴ３・Ｔ４のトランスにて昇圧し出力段のコンデンサには２つの多重波が合成充放電され交流の１４１Ｖ巻きとする第２図と同様で昇圧トランスの出力相のＰＴから取りだされた交流は降圧されＴ２トランスで電圧分割されまたＴ１トランスと多重合成によりＴ３・Ｔ４とで昇圧される
図１のシステム入力は２つのリングカウンタで１つを１クロック遅れた反転パルスで多重波を２つ重ねた形で階段状が増加出来る【０００８】図２のシステムパルスはＰＷＭ・ＤＡ変換とし出力段からのＰＴで降圧整流出力用の６０〜５０ＨＺを矩形波変換しＰＷＭ・ＤＡ変換システムの構成のクロックと同期しているので位相制御に利用出来ＡＮＤ回路によりパルス数を検知するそのパルス検知数を一致ＩＣ４０６３で一方をディップＳＷで固定している
出力正弦波はシステムパルスと半周期毎に同期で構成しているので正・負を一致ＩＣ４０６３の大小の比較出力線で分離しＴ１の多重波をＴ２に入力しＴ３・Ｔ４で昇圧している図１も同様である
【産業上の利用可能性】
【０００９】多重波を利用して中間タップを付けたトランスは比較的高アンペアの出力が出せるので２台のトランスで分割し多重波を２段重ねでき複雑な制御器を使用しなくて良い一致ＩＣ４０６３での検知パルスの多少にて有効無効電力の判別に利用可能である
【図面の簡単な説明】
【００１０】
【図１】リングカウンタを使用し中間タップの巻き線比を変えたＴ１．Ｔ２の多重波トランスと昇圧トランス
【図２】Ｄ．Ａ変換とＰＷＭ波入力時の位相制御累積誤差検出装置と１次トランスと昇圧トランス
【図３】ＭＰコンデンサへの充電前の２波形と合成された多重波形
【図４】クロックと同期の疑似正弦波の位相累積誤差検出理論図
【符号の説明】
【００１１】１        ４５２０  ＢＣＤカウンタ
２        ４０６３  一致回路
３        ＢＣＤ    デップスイッチ
４        正弦波矩形波変換装置
Ｔ１      第一多重波コイル
Ｔ２      第二多重波コイル
Ｔ３Ｔ４  昇圧トランス
Ｔ５      降圧トランス
【図１】
2006187184.tif 000003
【図２】
2006187184.tif 000004
【図３】
2006187184.tif 000005
【図４】
2006187184.tif 000006
(57)【要約】【課題】従来の畜光性塗料使用によるサイン、文字、ロゴ等はバインダー、インクに混練して塗布された構造、焼成され形成された構造等がある。しかしながら以上の技術によれば、設置面より浮き出し構造のため、引っ掻き、剥離を生じ安く、屋外設置なとの実用に供する事は難しかった。また、りん光作用は表面部に露出している塗料表面部のみによる発光のため、発光効率が低かった。【解決手段】溝、へこみ部に畜光材と透明クリヤーラッカー又は透明ウレタン塗料を混練し均一分散させた塗料を流し込む、或いは溝、へこみ部に白色塗料を塗布して後、畜光性塗料を流し込み乾燥、固定する。【選択図】図１
2006187749.tif 000002
【特許請求の範囲】
【請求項１】
蓄光性蛍光体と透明ウレタン塗料を混練し、金属、非鉄金属、樹脂、木材に設けた溝部、へこみ部へ流し込むことにより、飽和厚達成による構造的な畜光剤の輝度向上を図る方法及びその発光構造。
【請求項２】
蓄光性蛍光体と透明クリヤーラッカーを混練し、金属、非鉄金属、樹脂、木材に設けた溝部、へこみ部へ流し込むことにより、アクリル系塗料の導光作用と飽和厚達成による構造的な畜光剤の輝度向上を図る方法及びその発光構造。
【請求項３】
請求項１、請求項２を施工する場合、白色塗料を下地として使い構造的に畜光剤の輝度向上を図る方法及びその発光構造。
【発明の詳細な説明】
【技術分野】
【０００１】  この発明はアルカリ土類金属のアルミン酸塩を主成分をする蓄光性蛍光体粉末を施工する場合の、輝度改善、発光効果改善の方法及び塗布構造に関する。
【背景技術】
【０００２】  従来の畜光性塗料使用によるサイン、文字、ロゴ等はバインダー、インクに混練して塗布された構造、焼成され形成された構造等がある。
【発明の開示】
【発明が解決しようとする課題】
【０００３】  しかしながら以上の技術によれば、設置面より浮き出し構造のため、引っ掻き、剥離を生じ安く、屋外設置などの実用に供する事は難しかった。【０００４】  また、りん光作用は表面部に露出している塗料表面部のみによる発光のため、発光効率が低かった。
【課題を解決するための手段】
【０００４】  以上の課題を解決するために、第一発明、第二発明は、溝部、へこみ部に畜光材と透明塗料を混練し、均一分散させた畜光塗料を流し込み、乾燥固定する方法及びその構造である。【０００５】  また、第三発明は溝部、へこみ部に白色塗料を塗布して後、第一発、第二発明明を行う方法及びその構造である。
【発明効果】
【０００６】  第一発明、第二発明によれば、溝部、へこみ部へ流し込む事により、塗料の最高輝度を実現するための飽和厚を容易に達成でる。
【０００７】  また、塗膜中間部部、下層部への光の到達を容易にし、その部分からの発光を表層部へ導き出す事ができる。
【０００８】  また、第三発明においては壁面からの反射をクリヤーラッカーの導光作用により表面に取り出し輝度向上に役立たせることができる。
【発明を実施するための最良の形態】
【０００９】  第一発明の一実施形態を、図１に示す。
畜光剤塗料を流し込みむ本体２は、金属、樹脂、木材、非鉄金属等で出来ており、溝４は彫刻、機械加工、プレス、打刻等で設ける。畜光粉末１は透明クリヤーラッカー３と混練し均一分散させ畜光剤塗料としたものを、溝部４へ流し込む。【００１０】  第二発明の一実施形態を、図２に示す。
畜光剤塗料を流し込みむ本体２は、金属、樹脂、木材、非鉄金属等で出来ており、溝４は彫刻、機械加工、プレス、打刻等で設ける。溝部４へは畜光剤塗料の下地として白色ラッカー５を塗布する。白色ラッカー５乾燥後、畜光粉末１を透明クリヤーラッカー３と混練し均一分散させ畜光剤塗料としたものを、溝部４へ流し込む。
【実施形態の効果】
【００１１】  第一発明によると容易に飽和厚を達成し、下層部、中間部の発光を表面へ取り出すことができ、輝度、光量が増加した。
【００１２】  第二発明によると、下地の影響を排除し、四方へ散乱していた光量を１つ方向にまとめることが出来、輝度・光量が贈加した。
【図面の簡単な説明】
【００１３】
【図１】第一発明、第二発明の一実施形態の断面図である。
【図２】第三発明の一実施形態の断面図である。
【図３】従来技術による一実施形態の断面図である。
【符号の説明】
【００１４】    １畜光粉末
２設置対象本体
３透明クリヤーラッカー
４溝部
５白色ラッカー塗料
【図１】
2006187749.tif 000003
【図２】
2006187749.tif 000004
【図３】
2006187749.tif 000005
(57)【要約】  【課題】  モータの冷却を容易にする。  【解決手段】  仕切り板１の背面に設けたモータ２により前記仕切り板１の前面に設けたシロッコファン３を回転させて空気流４を生成する装置である。そして、外装ケース５に前記シロッコファン３への吸気口６を設けるとともに、この吸気口６から吸気された空気７の一部８がバイパス路９、１０を経て前記仕切り板１の背面側に回り込み、前記モータ２を覆った金属製のケース１１に形成した多数の第一通気孔１２を経て前記仕切り板１に形成した多数の第二通気孔１３から前記シロッコファン３の後方に供給される。また、吸気口６の背面側とシロッコファン３の間に第二仕切り板１４があり、この第二仕切り板１４における前記シロッコファン３の前方に多数の第三通気孔１５を形成するとともに、バイパス路９、１０は前記第二仕切り板１４及び仕切り板１に形成されている。【選択図】  図２
2006187722.tif 000002
【特許請求の範囲】
【請求項１】
仕切り板の背面に設けたモータにより前記仕切り板の前面に設けたシロッコファンを回転させて空気流を生成する装置であって、外装ケースに前記シロッコファンへの吸気口を設けるとともに、この吸気口から吸気された空気の一部がバイパス路を経て前記仕切り板の背面側に回り込み、前記モータを覆ったケースに形成した第一通気孔を経て前記仕切り板に形成した第二通気孔から前記シロッコファンの後方に供給される空気流生成装置。
【請求項２】
請求項１において、吸気口の背面側とシロッコファンの間に第二仕切り板があり、この第二仕切り板における前記シロッコファンの前方に第三通気孔を形成するとともに、バイパス路は前記第二仕切り板及び仕切り板に形成された空気流生成装置。
【発明の詳細な説明】
【技術分野】
【０００１】
本発明は、空気清浄器、イオン発生器などに適用される空気流生成装置に関する。
【背景技術】
【０００２】
空気清浄器やイオン発生器は通常、床面に置いて使用される。そして、特許文献１で開示される空気清浄器では、二面吸い込みを可能としている。
【特許文献１】特開平６−５５０２３号公報
【発明の開示】
【発明が解決しようとする課題】
【０００３】
しかし、殊に小型化した場合などのように必要となるモータの冷却について考慮されたものではない。本発明はこのような解決すべき課題を鑑み、モータの冷却を容易にすることを目的とする。
【課題を解決するための手段】
【０００４】
本発明を要約すると、仕切り板の背面に設けたモータにより前記仕切り板の前面に設けたシロッコファンを回転させて空気流を生成する装置であって、外装ケースに前記シロッコファンへの吸気口を設けるとともに、この吸気口から吸気された空気の一部がバイパス路を経て前記仕切り板の背面側に回り込み、前記モータを覆ったケースに形成した第一通気孔を経て前記仕切り板に形成した第二通気孔から前記シロッコファンの後方に供給される空気流生成装置である。
【発明の効果】
【０００５】
本発明によれば、外装ケースの吸気口から吸気された空気の一部がバイパス路を経て仕切り板の背面側に回り込み、モータを覆ったケースに形成した第一通気孔を経て前記仕切り板に形成した第二通気孔からシロッコファンの後方に供給されるため、モータの冷却を容易に行える。
【発明を実施するための最良の形態】
【０００６】
次に、本発明の実施形態を説明するが、それはあくまで本発明に基づいて採択された例示的な実施形態であり、本発明をその実施形態に特有な事項に基づいて限定解釈してはならず、本発明の技術的範囲は、特許請求の範囲の請求項に示した事項さらにはその事項と実質的に等価である事項に基づいて定めなければならない。
【０００７】
図示の実施形態は、仕切り板１の背面に設けたモータ２により前記仕切り板１の前面に設けたシロッコファン３を回転させて空気流４を生成する装置である。そして、外装ケース５に前記シロッコファン３への吸気口６を設けるとともに、この吸気口６から吸気された空気７の一部８がバイパス路９、１０を経て前記仕切り板１の背面側に回り込み、前記モータ２を覆った金属製のケース１１に形成した多数の第一通気孔１２を経て前記仕切り板１に形成した多数の第二通気孔１３から前記シロッコファン３の後方に供給される。この構成によれば、外装ケース５の吸気口６から吸気された空気７の一部８がバイパス路９、１０を経て仕切り板１の背面側に回り込み、モータ２を覆ったケース１１に形成した第一通気孔１２を経て前記仕切り板１に形成した第二通気孔１３からシロッコファン３の後方に供給されるため、モータ２の冷却を容易に行える。また、金属製のケース１１があるため、モータ２の万一の過熱による類焼事故を防止できる。
【０００８】
また、吸気口６の背面側とシロッコファン３の間に第二仕切り板１４があり、この第二仕切り板１４における前記シロッコファン３の前方に多数の第三通気孔１５を形成するとともに、バイパス路９、１０は前記第二仕切り板１４及び仕切り板１に形成されている。
【０００９】
シロッコファン３からの空気流４は例えば、ナノイオンなどのイオン発生器１６を経て外装ケース５の吹き出し口１７から外部に吹き出されるが、通常のフィルタ式空気清浄器に本発明を適用してももちろんよい。なお、本装置においても吸気口６の内側にフィルタ３１を装備している。
【００１０】
さらに詳述すれば、本装置は壁面取付板１８を介して壁面に取り付けられるものであり、壁面取付板１８は木ねじ１９などで壁面に固定され、壁面取付板１８の側板２０の前端に固定したねじ棒２１に袋ナット２２を螺合して本装置が壁面に取り付けられる。なお、ねじ棒２１に袋ナット２２を螺合する際は外装ケース５を外した状態で行う。
【図面の簡単な説明】
【００１１】
【図１】本発明の実施形態を示す横断面図
【図２】同要部拡大断面図
【図３】同背面図
【図４】同モータケースの斜視図
【図５】同取付過程の斜視図
【符号の説明】
【００１２】
１  仕切り板
２  モータ
３  シロッコファン
４  空気流
５  外装ケース
６  吸気口
７  空気
８  空気７の一部
９、１０  バイパス路
１１  ケース
１２  第一通気孔
１３  第二通気孔
１４  第二仕切り板
１５  第三通気孔
【図１】
2006187722.tif 000003
【図２】
2006187722.tif 000004
【図３】
2006187722.tif 000005
【図４】
2006187722.tif 000006
【図５】
2006187722.tif 000007
(57)【要約】【課題】一般的に，カレンダ−を使用する際，カレンダ−の役割は，現在の該当する曜日の確認とこれから先の曜日の確認が主であり，過ぎ去った過去の曜日の確認はあまり必要としない。  このため，現在及び今後の曜日の表示を重視し，できるだけ過去の曜日の表示を廃した月半期めくりのカレンダ−が必要である。【解決手段】次のような月半期めくりのカレンダ−を提供する。（１）１月分の曜日を，上，下半期分に分割し，毎月２枚，年間合計２４枚のカレンダ−により構成する月半期めくりカレンダ−とする。（２）１月分のカレンダ−の上部に，当該月半期分の曜日を表示するとともに，以下に連続する月半期分の曜日を表示する。（３）毎月半期，カレンダ−が更新され，月半期ずれたカレンダ−となるため，たえず，新たに月半期分の曜日が加わり，途切れることなく連続した曜日を確認することができる。（４）過ぎた月半期の表示がなくなるので，すっきり見やすいカレンダ−となる。【選択図】なし【特許請求の範囲】
【請求項１】
月間カレンダ−の曜日を，月の上半期群と月の下半期群とに分け，半月毎に，該当する半期群の曜日を，カレンダ−の上部に表示し，以下，連続する半期群の曜日を，カレンダ−の下部に表示するカレンダ−で，（１）１月分の曜日を，おおよそ１日から１５日までの半期群とおおよそ１６日から３１日までの半期群の２つの半期群に分け，毎月２枚，年間合計２４枚の月半期めくりカレンダ−により構成する。（２）毎月半期に，当該月半期めくりカレンダ−をめくることにより，該当する月半期群が，たえず，カレンダ−の上部に表示されるとともに，向こう１か月の曜日を表示する。（３）毎月半期に，当該月半期めくりカレンダ−をめくることにより，カレンダ−の下部に，新たに，次の月半期の曜日が表示され，月半期ずつずれたカレンダ−とする。  以上のような構成からなる，途切れることなく連続した月半期めくりカレンダ−。
【発明の詳細な説明】
【技術分野】
【０００１】  この発明は，従来の月間表示カレンダ−を，半月間ずらした月上半期（おおよそ１日から１５日まで）群と月下半期（おおよそ１６日から３１日まで）群との２つの半期群に分け，１月分のカレンダ−の上部に当該月半期群の曜日を表示するとともに，以下に，連続する月半期群の曜日を表示したカレンダ−であり，たえず，新たに月半期分の曜日が加わり，このため，途切れることなく連続した曜日が確認できる月半期めくりカレンダ−である。
【背景技術】
【０００２】  従来，カレンダ−には，月間表示カレンダ−，週めくりカレンダ−，日めくりカレンダ−はあったが，いずれも，当該月，週及び日のみの表示しかされていないものが多かった。
【発明が解決しようとする課題】
【０００３】  これらには，次のような問題点があった。  （１）月間表示カレンダ−の場合，次の月の曜日を確認するためには，カレンダ−をめくってみなければならなかった。  （２）月間表示カレンダ−の場合，月の後半になるに従い，過去の曜日が表示されているため，該当する曜日を探しにくい面があった。  （３）週めくりカレンダ−や日めくりカレンダ−の場合，該当する週や日のことしかわからなかった。  本発明は，以上のような欠点をなくすためになされたものである。
【課題を解決するための手段】
【０００４】  カレンダ−の役割は，該当する曜日の確認とこれから先の曜日の確認が主であり，過ぎ去った過去の曜日の確認はあまり必要としない。  このため，現在及び今後の曜日の表示を重視し，できるだけ過去の曜日の表示を廃したものとするため，（１）１月分の曜日を，上，下半期分に分割し，毎月２枚，年間合計２４枚のカレンダ−により構成する月半期めくりカレンダ−とする。（２）１月分のカレンダ−の上部に，当該月半期分の曜日を表示するとともに，以下に連続する月半期分の曜日を表示する。（３）毎月半期，カレンダ−が更新され，月半期ずれたカレンダ−となるため，たえず，新たに月半期分の曜日が加わり，途切れることなく連続した曜日を確認することができる。（４）過ぎた月半期の表示がなくなるので，すっきり見やすいカレンダ−となる。
【発明を実施するための最良の形態】
【０００５】  以下，発明を実施するための最良の形態について説明する。  （１）利用者が，利用しやすいよう，２４枚のカレンダ−をリング等を使用して束ね，月半期めくりカレンダ−とする。  （２）壁掛け用の器具を設けて，壁等につるしたり，立て掛け用の支脚部を設けてスタンドにする。
【発明の効果】
【０００６】  カレンダ−の役割は，現在の該当する曜日の確認とこれから先の曜日の確認が主であり，過ぎ去った過去の曜日の確認はあまり必要としない。  このため，できるだけ，過去の曜日の表示を廃し，今後の曜日の表示を重視したカレンダ−とするため，当該月半期分の曜日を表示し，以下，連続する月半期分の曜日を表示することにより，たえず，新たに月半期分の曜日が加わり，このため，途切れることなく連続した曜日を確認することができる。  また，過ぎた月半期の曜日の表示がなくなるので，すっきり見やすいカレンダ−となり，利便性の高いものとなる。  生活のテンポが早くなってきた現在，時を知ること，特に現在を含め，向こう１月間位の曜日を瞬時に確認できるカレンダ−の存在が重要になってくるが，このような時代の要請に十分応え得ることができるのが，当該月半期めくりカレンダ−である。
(57)【要約】【課題】  長期運転の場合でも炭化物等の流出が抑制され、押出製品の外観向上に好適な押出スクリュを提供する。【解決手段】  押出機（好ましくは、２軸異方向押出機）に用いられるスクリュであって、スクリュフライトの外周面とバレル内面とのクリアランスが０．５〜１．５ｍｍである。【選択図】  図１
2006187923.tif 000002
【特許請求の範囲】
【請求項１】
押出機に用いられるスクリュであって、スクリュフライトの外周面とバレル内面とのクリアランスが０．５〜１．５ｍｍであることを特徴とする押出スクリュ。
【請求項２】
押出機が２軸異方向押出機であることを特徴とする請求項１記載の押出スクリュ。
【発明の詳細な説明】
【技術分野】
【０００１】
本発明は押出スクリュに関し、特に押出製品の外観向上に好適な押出スクリュに関する。
【背景技術】
【０００２】
従来、押出製品において、押出機を用いて溶融・混練し熱可塑性樹脂製品を製造する場合、押出し材料に随伴された空気や押出スクリュ（以下、単に「スクリュ」ともいう）の回転による剪断発熱などによって、特に長期運転の場合などに押出材料の一部が、酸化または熱分解して炭化物やゲル化物等（以下、「炭化物等」ともいう）が生成し製品に混入して外観不良を誘引するすることがあった。
【０００３】
上記炭化物等の生成を抑制する技術については、例えば、特許文献１に、熱可塑性樹脂と他の熱可塑性樹脂および／または添加剤を押出機内で混練して成形用材料を製造するにあたり、押出機駆動側の第１供給口から少なくとも１種の熱可塑性樹脂を供給し、該第１供給口より押出方向側で該樹脂が実質的に溶融する位置より駆動側のシリンダに設けたガス供給口から窒素ガスを供給し、押出機内を窒素ガスで充満させながら溶融混練する熱可塑性樹脂組成物の製造方法が開示されている。
【０００４】
しかしながら、上記のように窒素ガスを供給する方法は、設備装置が大掛かりになるとともに、窒素ガスの圧力によって材料がスクリュー流路を逆流することがあり、押出変動の原因となったり、溶融混練条件が不安定になるという問題があった。
【０００５】
【特許文献１】特開平６−２０６２１６号公報
【発明の開示】
【発明が解決しようとする課題】
【０００６】
本発明の目的は、上記従来の問題点に鑑み、長期運転の場合でも炭化物等の流出が抑制され、押出製品の外観向上に好適な押出スクリュを提供することにある。
【課題を解決するための手段】
【０００７】
請求項１記載の押出スクリュは、押出機に用いられるスクリュであって、スクリュフライトの外周面とバレル内面とのクリアランスが０．５〜１．５ｍｍであることを特徴とする。
【０００８】
請求項２記載の押出スクリュは、請求項１記載の押出スクリュであって、押出機が２軸異方向押出機であることを特徴とする。
【発明の効果】
【０００９】
本発明によれば、スクリュフライトの外周面とバレル内面とのクリアランスが０．５〜１．５ｍｍであることを特徴とするので、スクリュの回転による剪断発熱などによって、押出材料の一部が、バレル内面に長期に渡って付着し酸化または熱分解することを防止することができ、長期運転の場合でも炭化物等の流出が抑制され、押出製品の外観向上に好適な押出スクリュを提供することができる。
【００１０】
一般の押出機において、上記クリアランスは、通常０．１〜０．２ｍｍであるが、本発明によれば、上記クリアランスを大きくすることでバレル内面に対する付着力が働かず、樹脂がバレル内面に付着し難くなる作用が発現すると考えられる。
【００１１】
押出機が２軸異方向押出機である場合には、上記効果は更に顕著なものとなる。
【発明を実施するための最良の形態】
【００１２】
以下、本発明を実施するための最良の形態について、図面を参照しつつ説明する。
図１は本発明に係る押出スクリュの一例を示す模式断面図であり、２軸異方向押出機の模式断面図である。
【００１３】
本発明の押出スクリュは、図１に示すスクリュフライト２の外周面とバレル３の内面とのクリアランスｔが０．５〜１．５ｍｍの範囲とされている。このクリアランスｔが小さすぎると炭化物等が発生し易くなり、大きすぎる場合には樹脂の混練性が悪くなったりバックフローなどの流動異常が起こることがある。
【００１４】
上記クリアランスｔは、押出スクリュにおける全体に渡って上記範囲とされてもよいし、例えばスクリュ根元部（供給部）や脱気ゾーン（ベントゾーン）など炭化物等の生じやすい部分に限って、部分的に上記範囲とされたものであってもよい。
【００１５】
また、上記スクリュの長さ方向において、クリアランスｔは一定であってもよいし変化させてもよい。例えば、スクリュ根元部（供給部）はクリアランスｔが大きく、スクリュの先端部はクリアランスｔが小さくなされていると、供給安定性と炭化物抑制効果のバランスが良くなる点で好ましい。
【００１６】
一般に、押出機が２軸押出機であり、スクリュの回転方向が異方向である所謂２軸異方向押出機においては、押出機内での樹脂の滞留が起こり易いため、本発明における押出機が２軸異方向押出機の場合には、上記効果は更に顕著なものとなる。
【００１７】
また、上記２軸異方向押出機は、一般に塩化ビニル系樹脂の押出成形に好適に用いられるが、通常塩化ビニル系樹脂は炭化物等が生じやすいため、上記押出スクリュが塩化ビニル系樹脂用スクリュの場合には、上記効果は更に顕著なものとなる。
【図面の簡単な説明】
【００１８】
【図１】本発明の押出スクリュの一例を示す模式断面図である。（ａ）はスクリュ及びバレルの全体を示す模式断面図であり、（ｂ）はスクリュとバレルのクリアランス部を示す拡大断面図である。
【符号の説明】
【００１９】
１  押出スクリュ
２  スクリュフライト
３  バレル
ｔ  クリアランス
【図１】
2006187923.tif 000003
(57)【要約】【課題】  エラーページの印刷時、エラーページの用紙サイズ及び用紙向きが物理的な用紙と異なっていても用紙架け替えを行うことなくエラーページ印刷を可能とすることである。【解決手段】  プリンターに物理的に設置されている用紙サイズ及び用紙向きと、印刷データの用紙サイズ、用紙向きとを比較する手段、エラーページの情報を印刷できる領域を判断する手段、エラーページの用紙サイズ及び向きを変更する手段を持ち、エラーページの用紙サイズ及び用紙向きに関わらず、用紙架け替えを行うことなくエラーページ印刷を可能としたことを特徴とする。【選択図】図１
2006187997.tif 000002
【特許請求の範囲】
【請求項１】
プリンターに物理的に設置されている用紙サイズ及び用紙向きと、印刷データーの用紙サイズ、用紙向きとを比較する手段を持ち、用紙架け替えを行うことなくエラーページ印刷を可能としたことを特徴とするプリンターの制御装置。
【請求項２】
エラーページの情報を印刷できる領域を判断する手段と、エラーページの用紙サイズ及び向きを変更する手段を持ち、エラーページの用紙サイズ及び用紙向きに関わらず、用紙架け替えを行うことなくエラーページ印刷を可能としたことを特徴とする請求項１に記載のプリンターの制御装置。
【発明の詳細な説明】
【技術分野】
【０００１】
本発明は、プリンターの制御装置に関するものである。
【背景技術】
【０００２】
ホストからデーターを受信しこれを解析し印刷するプリンターにおいては、ページ記述言語（ＰＤＬ）実行時のエラー内容を用紙に印刷可能なものがある。
【０００３】
また、プリンターの中には、データー印刷時に印刷内容を回転及び拡大縮小して印刷することを好まない種類がある。例えば連続紙プリンターにおいては、複数の用紙間における位置関係が固定されているため、作成されたデーターを回転せずに印刷することが望まれる。例を挙げると、プリンターにＡ４横の用紙が設置されており、印刷データーがＡ４縦の場合、印刷データーを９０度回転すれば印刷が可能であるが、実際にはプリンターに設置されている用紙サイズをＡ４縦に架け替える要求を出し、用紙架け替え後に印刷データーの回転を行うことなく印刷を実行する。
【０００４】
通常の印刷動作中は、あらかじめ印刷に必要な用紙サイズ及び向きが分かっている。このため、プリンターに設置する物理的な用紙サイズ及び向きを、印刷データーに合わせた後印刷を開始することから、この用紙架け替え要求は発生しない。ところが、ＰＤＬ実行中にエラーが発生し、エラーの情報を用紙に印刷するエラーページ印刷時においては、発生したエラーによりデーター中の用紙サイズ及び向きがページ記述言語部に正しく設定されないことがあり、この時はエラーページのサイズ及び向きがプリンターに設置された用紙と一致しないため、エラーページ印刷を行うために用紙架け替えを行う必要がある。
【発明の開示】
【発明が解決しようとする課題】
【０００５】
上記したように、従来のプリンターにおいては、エラーページ印刷のために用紙架け替えを行う必要があるという課題がある。
【課題を解決するための手段】
【０００６】
本発明は、プリンターに物理的に設置されている用紙サイズ及び向きと、エラーページ印刷に必要な用紙サイズ及び向きを比較し、エラーページを加工することによって用紙架け替えを行うことなくエラーページ印刷を実行することを最も大きな特徴とする。
【発明の効果】
【０００７】
請求項１に記載のプリンター制御装置は、エラーページ印刷実行時に用紙架け替えの必要なく印刷結果を得られるという利点がある。
【０００８】
請求項２に記載のプリンター制御装置は、エラーページの用紙サイズが物理的な用紙サイズより大きくても、必要な情報を含むエラーページが用紙架け替え無しに得られるという利点がある。
【発明を実施するための最良の形態】
【０００９】
以下、本発明による好適な実施形態を、添付図面を参照しながら説明する。
【実施例１】
【００１０】
図２は、本発明の概念図を示している。プリンターＢがホストＡに接続されている。プリンターＢ内にはプリンター制御装置Ｃがあり、ホストＡからの印刷データーを受信、これをページ記述言語部Ｄにて処理するが、ページ記述言語部Ｄにてエラーが発生した時はエラーページ印刷部Ｅでエラーページの印刷を行う。
【００１１】
図１は、本発明の処理内容をフローチャートで示している。
【００１２】
本処理はページ記述言語部Ｄにてエラーが発生することによりスタートする。ＰＤＬ部はエラーが発生した状況に応じた用紙サイズ及び向きにてエラーページを作成する。エラーページ印刷処理Ｅはこのエラーページを受けるとまず印刷データの用紙サイズ及び向きがプリンターに設置されている物理的な用紙サイズ及び向きと完全に一致するかどうかを判断する。これらが一致する時はそのまま印刷を行う。
【００１３】
次に、用紙サイズは一致しているものの向きが一致しない時は、印刷データーを９０度回転し印刷を実行する。先に述べたように本発明におけるプリンターでは印刷データの回転及び拡大縮小は好まれないが、これは通常印刷に限ることであり、エラーページ印刷時においては、あらかじめ意図された印刷向きが正しくページ記述言語部によって処理されていない可能性があること、またエラーページ印刷においてはエラー情報が正しく伝わることが最大の役割であることから、印刷向きを変更してでもページの全てを印刷することが好ましい。
【００１４】
用紙向きに加え、さらに用紙サイズも一致しない時は、エラーページの用紙サイズと物理的な用紙サイズの大小を比較する。物理的な用紙サイズが大きい場合、エラーページの内容全てを印刷可能であるため、これを物理的な用紙にそのまま印刷する。本実施形態では用紙の左上から印刷を行うが、本発明ではこれに限ったことはなく、用紙中央など任意の位置に印刷が可能である。
【００１５】
エラーページの用紙サイズが物理的な用紙サイズよりも大きい場合、エラーページの上下左右４辺における無印刷部を調査する。エラー情報の印刷のためにはある一定の領域があれば可能であるため、図３に示すように、エラーページにおいては上下左右の４辺に無印刷部が発生している場合が多い。この無印刷部を除いた用紙サイズが物理的な用紙サイズよりも小さい場合は、無印刷部を除いたエラーページを作成し直した後エラーページ印刷を実行する。
【００１６】
以上の処理を行ってもなおエラーページの印刷が実行できないときのみ、用紙架け替えの要求をする。
【図面の簡単な説明】
【００１７】
【図１】本発明の実施形態を示したフローチャートである。（実施例１）
【図２】本発明の実施形態を示した概念図である。（実施例１）
【図３】エラーページの１例を示した図である。（実施例１）
【符号の説明】
【００１８】
Ａはホスト、Ｂはプリンター、Ｃはプリンター制御装置、Ｄはページ記述言語部、Ｅはエラーページ印刷処理部である。
【図１】
2006187997.tif 000003
【図２】
2006187997.tif 000004
【図３】
2006187997.tif 000005
(57)【要約】【課題】  文字図柄や写真画像が汎用のインクジェットプリンターで簡単に印刷をすることができるとともに、膨らみなく二つ折に畳むことのでき、かつ、接着剤による接着強度を高めることのできる冊子用用紙を提供すること。  【解決手段】  二つ折りした用紙を一冊分集積し、集積した一冊分の用紙束の折り曲げた背面同士を接着剤で綴じて冊子を構成する冊子用用紙において、アート紙などの用紙１の表面に印刷用インク受容層２を形成するとともに、二つ折りする折位置に切れ目と継ぎ目が２．０×０．６ｍｍ程度のミシン目３の折り筋を形成する。【選択図】    図１
2006187971.tif 000002
【特許請求の範囲】
【請求項１】
二つ折りした用紙を一冊分集積し、集積した一冊分の用紙束の折り曲げた背面同士を接着剤で綴じて冊子を構成する冊子用用紙において、前記用紙の少なくとも一面に印刷用インク受容層を形成するとともに、二つ折りする折位置に細かい切り目のミシン目の折り筋を形成してなることを特徴とする冊子用用紙。
【請求項２】
切り目間の継ぎ目を切り目の長さよりも短くしたことを特徴とする請求項１に記載の冊子用用紙。
【請求項３】
冊子用用紙は原紙に鉱物性の顔料を途着して平滑にした洋紙であることを特徴とする請求項１又は請求項２に記載の冊子用用紙。
【発明の詳細な説明】
【技術分野】
【０００１】
本発明は、無線綴じ製本物の中身を作成する冊子用用紙に関するものである。
【背景技術】
【０００２】
印刷された用紙の折り畳み筋に沿ってミシン目様のアジロ目を形成し、そのアジロ目にしたがって用紙を折り畳み、折畳んだ用紙（折丁）の折り位置を揃えて一冊分集積し、集積した一冊分の用紙束の折部の背面をホットメルトなどの接着剤で綴じて冊子を作成することは公知である。
【特許文献１】特開２００１−５８４７７号公報
【０００３】
ところで、近年、パーソナルコンピュータやデジタルカメラが普及しパーソナルコンピュータで作成した文字図柄やデジタルカメラで撮影した写真画像などをプリンターで印刷し、印刷した用紙を二つ折りして集積し、集積した用紙束の折部の背面を接着剤で綴じて一冊の冊子を形成し、その冊子を適宜表紙で包んで個人的に製本する場合がある。
【０００４】
この場合、特に写真画像などの印刷では原紙に鉱物性の顔料を途着して平滑にしたアート紙やコート紙などの比較的に厚くて硬い洋紙が使用されるが、このような洋紙を折部に膨らみなく二つ折りにすることは困難であり、また、接着剤による接着強度が弱く間単にバラケテしまうといった問題があった。この問題を解消するために、上記のようなアジロ目を形成することが考えられるが、そのためにはアジロ目を形成する特殊な道具を必要とし、製本するごとにこの道具を準備しなければならいと面倒があった。
【発明の開示】
【発明が解決しようとする課題】
【０００５】
本発明が解決しようとする課題は、文字図柄や写真画像が汎用のインクジェットプリンターで簡単に印刷をすることができるとともに、膨らみなく二つ折に畳むことのでき、かつ、接着剤による接着強度を高めることのできる冊子用用紙を提供し、斯かる問題を解消する点である。
【課題を解決するための手段】
【０００６】
本発明は、二つ折りした用紙を一冊分集積し、集積した一冊分の用紙束の折り曲げた背面同士を接着剤で綴じて冊子を構成する冊子用用紙において、前記用紙の少なくとも一面に印刷用インク受容層を形成するとともに、二つ折りする折位置に細かい切り目のミシン目の折り筋を形成してなることを主要な特徴とする。
【発明の効果】
【０００７】
本発明では、用紙の表面に印刷用インク受容層を形成しているので、文字図柄や写真画像が汎用のインクジェットプリンターで簡単に印刷をすることができる。また、二つ折りする折位置に細かい切り目のミシン目の折筋を形成しているので、プリンターと干渉することなく印刷できるとともに、ミシン目にしたがって膨らみなく二つ折に畳むことができる。これによって、接着剤が切り目に侵入し接着強度の高い冊子が得られる。
【発明を実施するための最良の形態】
【０００８】
文字図柄や写真画像が汎用のインクジェットプリンターで簡単に印刷をすることができるとともに、膨らみなく二つ折に畳むことのでき、かつ、接着剤による接着強度を高めることのできる冊子用用紙を提供する目的を、用紙の表面に印刷用インク受容層を形成するとともに、二つ折りする折筋に沿って細かい切り目のミシン目を形成することにより実現した。
【実施例１】
【０００９】
以下、本発明の実施例について図によって説明する。図１は実施例に係る冊子用用紙の構成を示す斜視図で、１は原紙に鉱物性の白色顔料を途着して平滑にして強い光沢を出したアート紙である。アート紙１の表裏両面には、印刷用インク受容層２が形成され、中央部にミシン目３が形成されている。ミシン目３の大きさは、切れ目を大きくするとプリンター通紙時にプリンターのローラーなどに引っかかり易くなるため細かい切れ目２．０ｍｍとし、折り曲げ強度を保ち屈折に強くするために継ぎ目０．６ｍｍとし、このミシン目にすると、絵柄を印刷した場合にミシン目は目だたず、また、接着剤を塗着した場合にミシン目に接着剤が浸透し製本強度を上げることができる。
【００１０】
このように構成したアート紙１は、図２に示すように表面に絵柄４などを印刷し、ミシン目３にしたがって二つに折り畳む。この折畳んだアート紙１と同様に表面に絵柄などを印刷し、ミシン目３にしたがって折り畳んだアート紙１を適宜数集積し、集積したアート紙１の用紙束の折り曲げた背面同士を図３に示すように接着剤５を塗着して綴じる。この場合、接着剤５は、ミシン目の切り目３ａ（３ｂは継ぎ目）に浸入し接着強度が高くなる。これにより、たとえば絵柄４を写真画像とすれば一冊の写真アルバムの中身（本身）を強固に完成することができる。
【００１１】
以上の実施例では、冊子用用紙をアート紙としているが、冊子用用紙はアート紙に限らず普通紙など適宜であってよい。また、ミシン目は、細かい切り目であればよく、切れ目と継ぎ目が２．０×０．６ｍｍに限られるものでない。さらに、印刷用インク受容層は用紙の表裏両面に形成するようにしても良い。
【００１２】
以上、本発明によれば、文字図柄や写真画像が汎用のインクジェットプリンターで簡単に印刷をすることができるとともに、格別な道具を必要とせず膨らみなく二つ折に畳むことのでき、かつ、接着剤による接着強度を高めることのできる冊子用用紙を提供することができる。
【図面の簡単な説明】
【００１３】
【図１】本発明の実施例に係る冊子用用紙の斜視図である。
【図２】本発明の実施例に係る冊子用用紙の使用を示す斜視図である。
【図３】本発明の実施例に係る冊子用用紙を用いた冊子の構成を示す断面図である。
【符号の説明】
【００１４】
１  アート紙（冊子用用紙）
２  印刷用インク受容層
３  ミシン目
３ａ  切れ目
３ｂ  継ぎ目
４  絵柄
５  接着剤
【図１】
2006187971.tif 000003
【図２】
2006187971.tif 000004
【図３】
2006187971.tif 000005
(57)【要約】      （修正有）【課題】ストローのように使用することで、飲み物をマイナスイオン化することができ、大型の活水器と同じような効果を提供する。【解決手段】小径の筒１の中ほどを、扁平２にし、その片面３に強力な永久磁石４のＮ極５を取り付け、もう片方６に同等の永久磁石のＳ極７を取り付け、強力な磁力線８が、筒内を通過するようにしたストローで、飲み物を飲むことで液体がマイナスイオン化し活性水となり、大型の活水器と同じような効果を得る。【選択図】図２
2006187371.tif 000002
【特許請求の範囲】
【請求項１】
小径の筒の両側面に、強力な磁石を取り付けたストロー。
【発明の詳細な説明】
【発明の詳細な説明】
【産業用の利用分野】
【０００１】  この発明は、コップ等より、飲み物を飲むとき、両側面の強力な磁石の磁力線により、液体がマイナスイオン化し、活性水となり、まろやかさが増すと思われる。
【背景技術】
【０００２】水道管に直接つけるものや、挟むものが、主流である。
【発明が解決しようとする課題】
【０００３】これには次のような欠点があった。
（イ）  水道水以外のものは、処理できない。
（ロ）  すぐに冷えたものとして、のむことはできない。
本発明は、これらの欠点を除くためになされるものである。
【問題を解決するための手段】
【０００４】  小径の筒（１）の中ほどを、扁平（２）にし、その片面（３）に強力な永久磁石（４）のＮ極（５）を取り付け、もう片方（６）に同等の永久磁石のＳ極（７）を取り付け、強力な磁力線（８）が筒内を通過するようにしたストロー。
本発明は、以上のような構造のものである。
【発明の実施形態】
【０００５】以下、本発明の実施例について説明する。
（イ）小径の筒（１）の中ほどを、扁平（２）にする。
（ロ）扁平（２）部の片面（３）に、強力な永久磁石（４）のＮ極（５）を取り付ける。
（ハ）もう片方（６）に同等の永久磁石のＳ極（７）を取り付け、小径の筒（１）の扁平（２）部を挟み込み、強力な磁力線（８）が通過するようにする。
本発明は以上のような構造で、ストローのように使用し、飲み物を飲むことで液体がマイナスイオン化し、活性水となり、まろやかさが増すと思われる。
【発明の効果】
【０００６】これには次のような効果がある。
（イ）  どのような飲み物にも、簡単に使用できる。
（ロ）  大型の活水器と、同じ効果が得られる。
本発明は、これらの効果をもたらすものである。
【図面の簡単な説明】
【図１】本発明の参考図である。
【図２】本発明の参考図である。
【符号の説明】
１  小径の筒
２  扁平
３  片面
４  強力な永久磁石
５  Ｎ極
６  片方
７  Ｓ極
８  強力な磁力線
【図１】
2006187371.tif 000003
【図２】
2006187371.tif 000004
【手続補正書】
【提出日】平成17年3月12日(2005.3.12)
【手続補正１】
【補正対象書類名】明細書
【補正の内容】
2006187371.tif 000005
2006187371.tif 000006
2006187371.tif 000007
2006187371.tif 000008
【手続補正書】
【提出日】平成17年5月18日(2005.5.18)
【手続補正２】
【補正対象書類名】手続補正書
【補正対象項目名】手続補正２
【補正方法】追加
【補正の内容】
【手続補正２】
【補正対象書類名】特許請求の範囲
【補正対象項目名】全文
【補正方法】変更
【補正の内容】
【特許請求の範囲】
【請求項１】
小径の筒の両側面に、強力な磁石を取り付けたストロー。
【手続補正３】
【補正対象書類名】手続補正書
【補正対象項目名】手続補正３
【補正方法】追加
【補正の内容】
【手続補正３】
【補正対象書類名】明細書
【補正対象項目名】全文
【補正方法】変更
【補正の内容】
【発明の詳細な説明】
【産業用の利用分野】
【０００１】  この発明は、コップ等より、飲み物を飲むとき、両側面の強力な磁石の磁力線により、液体がマイナスイオン化し、活性水となり、まろやかさが増すと思われる。
【背景技術】
【０００２】  水道管に直接つけるものや、挟むものが、主流である。
【発明が解決しようとする課題】
【０００３】  これには次のような欠点があった。
（イ）  水道水以外のものは、処理できない。
（ロ）  すぐに冷えたものとして、のむことはできない。
本発明は、これらの欠点を除くためになされるものである。
【問題を解決するための手段】
【０００４】  小径の筒（１）の中ほどを、扁平（２）にし、その片面（３）に強力な永久磁石（４）のＮ極（５）を取り付け、もう片方（６）に同等の永久磁石のＳ極（７）を取付け、強力な磁力線（８）が筒内を通過するようにしたストロー。
本発明は、以上のような構造のものである。
【発明の実施形態】
【０００５】  以下、本発明の実施例について説明する。
（イ）小径の筒（１）の中ほどを、扁平（２）にする。
（ロ）扁平（２）部の片面（３）に、強力な永久磁石（４）のＮ極（５）を取り付ける。
（ハ）もう片方（６）に同等の永久磁石のＳ極（７）を取り付け、小径の筒（１）の扁平（２）部を挟み込み、強力な磁力線（８）が通過するようにする。
本発明は以上のような構造で、ストローのように使用し、飲み物を飲むことで液体がマイナスイオン化し、活性水となり、まろやかさが増すと思われる。
【発明の効果】
【０００６】  これには次のような効果がある。
（イ）  どのような飲み物にも、簡単に使用できる。
（ロ）  大型の活水器と、同じ効果が得られる。
本発明は、これらの効果をもたらすものである。
【図面の簡単な説明】
【図１】  ストロー式活水器の正面図。
【図２】  ストロー式活水器の側面図。  本発明の参考図である。
【符号の説明】
１  小径の筒
２  扁平
３  片面
４  強力な永久磁石
５  Ｎ極
６  片方
７  Ｓ極
８  強力な磁力線